(57)【要約】【課題】本発明は、クランプ（クリップ）の大型化を防止し、かつ、電線（ワイヤーハーネス）を確実に保持するとともに、取り付け作業を効率的にすることのできる電線固定構造およびこれを用いたクランプを提供することを目的とする。【解決手段】複数本の電線３と、前記電線３を電線収容室２１に収容するクランプ１と、前記クランプ１が取り付けられるリブ２５が形成されているインストルメントパネル２と、を備えた電線固定構造およびこれを用いたクランプであって、前記クランプ１には、前記電線３を収容する電線収納爪９と、前記リブ２５を狭持して前記インストルメントパネル２に固定するリブ固定爪１３とが突設され、前記クランプ１の内周には、前記電線収容室２１とリブ収容室２２が形成されていることを特徴とする。【選択図】図３
2014180152.tif 000002
【特許請求の範囲】
【請求項１】
複数本の電線を収容したクランプを、車体に形成されたリブに取り付けて複数本の電線を車体に固定する電線固定構造であって、
前記クランプは、収容した電線を車体に固定するクランプ本体部と、前記クランプ本体部の内側に設けられ、複数本の電線を収容する電線収容室と、前記クランプ本体部の内側で前記車体と前記電線収容室との間に設けられて車体の一部が収容されるリブ収容室と、から形成され、
前記電線収容室には、収容した前記電線をクランプ本体部内に収納させる電線収納爪と、前記リブ収容室には、前記リブを狭持して前記車体に前記クランプを固定するリブ固定爪とが突設され、
前記電線収容室とリブ収容室とがクランプ内に一体に形成されていることを特徴とする電線固定構造。
【請求項２】
請求項１記載の電線固定構造であって、
前記電線収納爪および前記リブ固定爪は、前記電線の挿入方向に傾斜していることを特徴とする電線固定構造。
【請求項３】
請求項１または請求項２に記載の電線固定構造であって、
前記リブ固定爪は、前記クランプ内に挿入された前記リブの側面部を狭持する一対の対向する狭持片と、前記狭持片から連続して前記リブの側面部を支持する支持片が前記リブの挿入方向へ延設されていることを特徴とする電線固定構造。
【請求項４】
複数本の電線を車体に固定するクランプであって、
クランプ本体部と、このクランプ本体部に設けられて複数本の電線が収容される電線収容室と、車体が前記電線収容室への電線の挿入方向と同方向から挿入されて収容されるリブ収容室と、
収容した前記電線をクランプ本体部内に収納させる電線収納爪と、前記リブ収容室には、前記車体のリブを狭持して前記車体に前記クランプを固定するリブ固定爪と、からなることを特徴とするクランプ。
【発明の詳細な説明】
【技術分野】
【０００１】
本発明は、複数本の電線からなるワイヤーハーネスをインストルメントパネル等の車体に固定する電線固定構造に関するクランプである。
【背景技術】
【０００２】
従来、特許文献１に示すように一般的なワイヤーハーネスをインストルメントパネル等の車体に固定する一般的なクランプは、パネル固定部とワイヤーハーネス固定部とから構成されている。
【０００３】
このパネル固定部は、パネルに立設した板形状の取付部をくわえて保持するため、ワイヤーハーネス保持部と一体に形成されて全体としてＵ字形状に形成された本体部と、この本体部に収容されて連結される、全体としてＵ字形状に形成された金属製の保持片とからなっている。保持片の端部には一対の弾性係止片が形成され、一対の弾性係止片の間に板形状の取付部（例えば、インストルメントパネルの裏面側のリブ等）を押し込むと、パネルに立設した板形状の取付部をくわえて保持し、クリップがパネルに固定されている。
【０００４】
また、ワイヤーハーネス保持部は、パネル固定部の本体部に一体成形によって固く連結されており、複数のワイヤーハーネスのそれぞれを一定の長さにわたって保持するように、一定の幅を有している。ワイヤーハーネス保持部は、開放した上面から下方に向けてほぼＵ字形状に形成されて、複数本のワイヤーハーネスを収容するＵ字溝が形成された剛体の保持部本体と、保持部本体の開放部分を閉じるカバー部とから成っている。カバー部は、一端が保持部本体の一方の側部に薄板形状のヒンジを介して旋回可能に連結され、ヒンジ回りに旋回して、保持部本体のＵ字溝に収容されて保持された複数本のワイヤーハーネスの上部を閉じ、ワイヤーハーネスの抜け出しを阻止している。
【先行技術文献】
【特許文献】
【０００５】
【特許文献１】特開２００９−２２５６１６
【発明の概要】
【発明が解決しようとする課題】
【０００６】
しかしながら、特許文献１に示すような従来のクリップは、ワイヤーハーネス保持部と、パネル固定部が別々に形成されているため、クランプの形状が複雑になってしまうという課題があった。
【０００７】
また、クリップに電線を収納する電線収納作業と、クリップをパネルに固定するクランプ固定作業とが別々の作業となるため、作業効率が非常に悪いという問題があった。
【０００８】
さらに、パネルに対してワイヤーハーネス保持部が、パネル固定部と並列に配置されているため、クリップ自体が大型化してしまい、大きなスペースが必要になってしまうという課題があった。
【０００９】
そこで、本発明は、クランプ（クリップ）の大型化を防止し、かつ、ワイヤーハーネスを確実に保持するとともに、取り付け作業を効率的にすることのできる電線固定構造及びクランプを提供することを目的とする。
【課題を解決するための手段】
【００１０】
上記の課題を解決するために、請求項１記載の発明では、複数本の電線３を収容したクランプ１を、車体２に形成されたリブ２５に取り付けて複数本の電線３を車体２に固定する電線固定構造であって、前記クランプ１は、収容した電線３を車体２に固定するクランプ本体部５と、前記クランプ本体部５の内側に設けられ、複数本の電線３を収容する電線収容室２１と、前記クランプ本体部５の内側で前記車体２と前記電線収容室２１との間に設けられて車体２の一部が収容されるリブ収容室２２と、から形成され、前記電線収容室２１には、収容した前記電線３をクランプ本体部５内に収納させる電線収納爪９と、前記リブ収容室２２には、前記リブ２５を狭持して前記車体２に前記クランプ１を固定するリブ固定爪１３とが突設され、前記電線収容室２１とリブ収容室２２とがクランプ１内に一体に形成されていることを特徴とする。
【００１１】
また、請求項２記載の発明では、請求項１記載の電線固定構造であって、前記電線収納爪９および前記リブ固定爪１３は、前記電線３の挿入方向に傾斜していることを特徴とする。
【００１２】
さらに、請求項３記載の発明では、請求項１または請求項２に記載の電線固定構造であって、前記リブ固定爪１３は、前記クランプ１内に挿入された前記リブ２５の側面部２９を狭持する一対の対向する狭持片１３（１５）と、前記狭持片１５から連続して前記リブ２５の側面部２９を支持する支持片１９が前記リブ２５の挿入方向へ延設されていることを特徴とする。
【００１３】
加えて、請求項４記載の発明では、複数本の電線３を車体２に固定するクランプ１であって、クランプ本体部５と、このクランプ本体部５に設けられて複数本の電線３が収容される電線収容室２１と、車体２が前記電線収容室２１への電線３の挿入方向と同方向から挿入されて収容されるリブ収容室２２と、収容した前記電線３をクランプ本体部５内に収納させる電線収納爪９と、前記リブ収容室２２には、前記車体２のリブ２５を狭持して前記車体２に前記クランプ１を固定するリブ固定爪１３と、からなることを特徴とする。
【発明の効果】
【００１４】
請求項１記載の発明によれば、クランプ１が、収容した電線３を車体２に固定するクランプ本体部５と、クランプ本体部５の内側に設けられ、複数本の電線３を収容する電線収容室２１と、クランプ本体部５の内側で車体２と電線収容室２１との間に設けられて車体２の一部が収容されるリブ収容室２２と、から形成され、電線収容室２１には、収容した電線３をクランプ本体部５内に収納させる電線収納爪９と、リブ収容室２２には、リブ２５を狭持して車体２にクランプ１を固定するリブ固定爪１３とが突設され、電線収容室２１とリブ収容室２２とがクランプ１内に一体に形成されていることにより、クランプ１内に電線収容室２１とリブ収容室２２が一体に形成されているため、クランプ１の形状を簡素にすることができるとともに、クランプ１の小型化を図ることができる。
【００１５】
また、電線３の挿入方向とリブ２５の挿入方向が同方向とすることができるため、先に電線３をクランプ１内に挿入し、その後リブ２５をクランプ１内に挿入することができる。
【００１６】
請求項２の発明によれば、電線収納爪９およびリブ固定爪１３が、電線３またはリブ２５の挿入方向に傾斜しているため、電線３を電線収容室２１へ、リブ２５をリブ収容室２２へ案内することができる。
【００１７】
請求項３の発明によれば、リブ固定爪１３が、クランプ１内に挿入されたリブ２５の側面部２９を狭持する一対の対向する狭持片１５と、狭持片１５から連続してリブ２５の側面部２９を支持する支持片１９がリブ２５の挿入方向へ延設されていることにより、支持片１９によってリブ２５の側面部２９を支持するとともに、リブ２５を挿入方向へ案内することができるため、狭持片１５と支持片１９によって確実にリブ２５とクランプ１とを固定することができる。
【００１８】
請求項４の発明によれば、請求項１と同様の効果を得ることができる。
【図面の簡単な説明】
【００１９】
【図１】本発明の電線固定構造に用いられるリブが立設されたインストルメントパネルの裏面を示す斜視図。
【図２】（ａ）クランプに電線を挿入した状態を示す概略図、（ｂ）インストルメントパネルのリブにクランプを取り付ける状態を示す概略図、（ｃ）インストルメントパネルのリブにクランプを取り付け完了した状態を示す概略図。
【図３】インストルメントパネルのリブにクランプを取り付けた状態の斜視図。
【発明を実施するための形態】
【００２０】
以下、本発明の実施の形態について、図面を用いて詳細に説明する。
【００２１】
図１〜３を用いて、本発明の電線固定構造及びクランプについて説明する。
【００２２】
図１〜３に示すように、本発明の電線固定構造及びクランプ１は、収容した電線３を車体２（以下、インストルメントパネル）に固定するクランプ本体部５と、クランプ本体部５の内側に設けられ、複数本の電線３を収容する電線収容室２１と、クランプ本体部５の内側でインストルメントパネル２と電線収容室２１との間に設けられてインストルメントパネル２の一部が収容されるリブ収容室２２と、から形成されている。
【００２３】
図１は、インストルメントパネル２の裏面側を示す斜視図であり、インストルメントパネル２は、板状の本体部２３と、本体部２３から立設するリブ２５とによって構成され、このリブ２５には、電線３を内周に収容するクランプ１が固定される。また、後述するクランプ１内に収容される複数本の電線３は、絶縁性を有する被覆部材等によって覆われている。
【００２４】
複数本の電線３を収容するクランプ１は、図２（ａ）に示すように、Ｕ字形状のクランプ本体部５と、クランプ本体部５の内周面６から突出する電線収納爪９と、インストルメントパネル２のリブ２５を狭持するリブ固定爪１３とから構成されている。
【００２５】
Ｕ字形状に形成されたクランプ本体部５の内周面６から、電線３を収容する電線収納爪９と、リブ２５を狭持するリブ固定爪１３とがそれぞれ近接するように突設して形成されている。
【００２６】
複数の電線３を収納する電線収納爪９は、クランプ本体部５の底面部８側に突設して設けられており、一対の爪が近接するように対向して突設されている。クランプ本体部５の内周面６から突設して形成される一対の電線収納爪９は、電線３の挿入方向Ａに傾斜して近接するようにして突設されている。
【００２７】
また、この一対の対向する電線収納爪９の一方の爪には凹部１１が設けられており、他方の爪の先端が一方の爪に形成された凹部１１に係止している。
【００２８】
一方の爪に形成された凹部１１に他方の爪の先端が係止することにより、クランプ本体部５の内周面６の底面部８近傍に電線収容室２１が形成され、この電線収容室２１には、電線３が複数本収容される。なお、この電線収納爪９は、弾性を有する素材によって形成されることが好ましい。
【００２９】
クランプ本体部５の開口部７側の内周面６から突出するように形成されるリブ固定爪１３は、電線収納爪９と同様に、一対に対向して設けられる爪は底面部８へ向けて電線３の挿入方向Ａに傾斜して近接するようにして突設されている。
【００３０】
クランプ本体部５の内周面６に突設するリブ固定爪１３は、インストルメントパネル２のリブ２５の側面部２９を狭持する狭持片１５と、狭持片１５から連続して設けられてリブ２５の側面部２９を支持する支持片１９とから構成されている。
【００３１】
一対の狭持片１５は、先端部同士が当接することにより、クランプ本体部５の内周で、電線収納爪９とリブ固定爪１３との間にリブ収容室２２を形成している。このリブ収容室２２には、インストルメントパネル２のリブ２５が挿入される。
【００３２】
また、狭持片１５の先端に設けられる支持片１９は、先端がクランプ本体部５の底面部８へ向けてリブ収容室２２へ延設されており、リブ２５の側面部２９を支持するとともに、クランプ本体部５へリブ２５を挿入する際の案内ガイドとしての役割も兼ねている。
【００３３】
なお、図３には、電線固定テープ３１が示されているが、この電線固定テープ３１は、クランプ１間に配置されて、複数の電線３を束ねて固定している。
【００３４】
次に、クランプ１をインストルメントパネル２に固定する手順について説明する。
【００３５】
図２（ａ）に示すように、クランプ１の開口部７から電線３を挿入方向Ａのようにしてクランプ１内に形成される電線収容室２１へ挿入する。
【００３６】
電線３を電線収容室２１へ挿入する際、まず、リブ固定爪１３の傾斜面によって案内されてリブ固定爪１３の狭持片１５同士が当接している箇所に電線３が当接する。
【００３７】
狭持片１５に当接された電線３をさらに挿入方向Ａへ挿入することにより、一対の狭持片１５が離間する方向に撓んで、電線３がリブ収容室２２へ挿入される。
【００３８】
クランプ１内のリブ収容室２２に複数の電線３に仮収容された状態となり、この状態の時にクランプ１間の複数の電線３を束ねる電線固定テープ３１が巻き掛けられる。
【００３９】
クランプ１間において電線固定テープ３１で束ねられるとともに、リブ収容室２２へ挿入された電線３は、リブ収容室２２へ延設されたリブ固定爪１３の支持片１９に案内され、さらに挿入方向Ａへと電線３を挿入することにより、リブ収容室２２側の電線収納爪９へ当接する。
【００４０】
リブ収容室２２側の電線収納爪９へ当接した電線３は、電線収納爪９の傾斜面に案内されて、電線収納爪９同士が係止している箇所に当接する。
【００４１】
電線収納爪９に当接された電線３をさらに挿入方向Ａに挿入することにより、一対の電線収納爪９が離間する方向に撓んで、電線３が電線収容室２１へ収容される。
【００４２】
そして、図２（ｂ）に示すように、電線３を電線収容室２１へ収容させた後、クランプ１をインストルメントパネル２から立設されたリブ２５へ挿入する。
【００４３】
クランプ１をリブ２５へ挿入する際、まず、リブ２５の先端部２７がリブ固定爪１３の傾斜面によって案内されて、リブ固定爪１３の狭持片１５同士が当接している箇所にリブ２５の先端部２７が当接する。
【００４４】
リブ２５の先端部２７が狭持片１５に当接された状態で、さらにクランプ１を挿入方向Ｂに挿入することにより、一対の狭持片１５が離間する方向に撓み、リブ２５の先端部２７がリブ収容室２２へ挿入方向Ａに挿入される。
【００４５】
リブ収容室２２へ挿入されたリブ２５の先端部２７は、リブ収容室２２へ延設されたリブ固定爪１３の支持片１９に案内され、さらにクランプ１を挿入方向Ｂに挿入することにより、リブ２５の側面部２９が支持片１９に摺接するとともに、リブ２５の先端部２７が電線収納爪９に当接することで、図３に示すようにインストルメントパネル２へのクランプ１の取り付け（固定）が完了する。
【００４６】
上述した構成とすることにより、本発明の電線固定構造では、クランプ１内に電線収容室２１とリブ収容室２２が一体に形成されているため、クランプ１の形状を簡素にすることができるとともに、クランプ１の小型化を図ることができる。
【００４７】
また、電線３の挿入方向とリブ２５の挿入方向が同方向とすることができるため、先に電線３をクランプ１内に挿入し、その後リブ２５をクランプ１内に挿入することができる。
【００４８】
さらに、電線３をクランプ１のリブ収容室２２に仮収容することができるため、複数の電線３をより確実に保持して電線収容室２１へ収容することができるとともに、効率よくクランプ１をインストルメントパネル２へ固定することができる。
【００４９】
加えて、電線収容室２１内に電線３を収容する際、仮に電線３がリブ収容室２２内に留まってしまったとしても、リブ２５の先端によって電線３を押圧して電線収容室２１に収容させることができるため、確実に電線３を電線収容室２１へ収容させることができる。
【００５０】
さらに、電線収納爪９およびリブ固定爪１３が、電線３またはリブ２５の挿入方向Ａに傾斜しているため、電線３を電線収容室２１へ、リブ２５をリブ収容室２２へそれぞれ案内することができる。
【００５１】
さらにまた、リブ固定爪１３が、クランプ１内に挿入されたリブ２５の側面部２９を狭持する一対の対向する狭持片１５と、狭持片１５から連続してリブ２５の側面部２９を支持する支持片１９がリブ２５の挿入方向Ａへ延設されていることにより、支持片１９によってリブ２５の側面部２９を支持するとともに、リブ２５を挿入方向Ａへ案内することができるため、狭持片１５と支持片１９によって確実にリブ２５とクランプ１とを固定することができる。
【００５２】
加えて、電線収納爪９の一方には凹部１１が形成され、電線収納爪９の他方の爪の先端が、一方の爪に形成された凹部１１に係止することにより、電線収納爪９同士が係止しているので、電線収容室２１内へ収容した電線３がリブ収容室２２へ飛び出すことなく、電線３を電線収容室２１内へ収容することができる。
【００５３】
なお、本実施例では、リブが立設されたインストルメントパネルについて説明したが、本実施例の電線固定構造およびクランプは、インストルメントパネルに限定されるものではなく、立設されたリブを有する成形品であればよい。
【００５４】
さらに、本実施例では、一対の電線収納爪、一対のリブ固定爪について説明したが、一方の爪が弾性を有していればよく、他方の爪が剛性であってもよい。
【産業上の利用可能性】
【００５５】
本発明は、電線固定構造に利用することができる。
【符号の説明】
【００５６】
１  クランプ
２  車体（インストルメントパネル）
３  電線
９  電線収納爪
１３  リブ固定爪
２１  電線収容室
２２  リブ収容室
２５  リブ
【図１】
2014180152.tif 000003
【図２】
2014180152.tif 000004
【図３】
2014180152.tif 000005